(57)【要約】【課題】  単一のＡＤ変換部のみを用いた簡潔な構成で、アナログ変調波の受信にも対応したダイバーシティ受信機を実現する。【解決手段】  ＡＤ変換部１０４の前段に２つのアンテナ１０１ａ及び１０１ｂからの信号を時分割形式でアナログ多重するスイッチング部１０３を設け、ＡＤ変換部１０４の駆動周波数と同一周波数で駆動することによりデジタル化された時分割多重信号を得たのち、アンテナ１０１ａ及び１０１ｂごとの信号に分離する時分割分離部１０６、時分割された信号の信号品質を判定する信号品質判定部１０７ａ及び１０７ｂ、信号品質に基づいて合成処理する合成部１０８等を備える。【選択図】  図１
2005328505.tif 000002
【特許請求の範囲】
【請求項１】
Ｎ個（Ｎは２以上の正整数）のアンテナ端子から受信される信号の合成を行うダイバーシティ受信機であって、
前記Ｎ個の入力を持ち、前記Ｎ個のアンテナ端子で受信される信号を逐次切り替えて１つの信号として出力するスイッチング手段と、
前記スイッチング手段から出力された信号を、時分割多重されたデジタル信号に変換するＡＤ変換手段と、
前記ＡＤ変換手段において変換された前記デジタル信号を、前記Ｎ個の信号に分離して出力する時分割分離手段と、
前記スイッチング手段、前記ＡＤ変換手段及び前記時分割分離手段に接続され、前記スイッチング手段、前記ＡＤ変換手段及び前記時分割分離手段を、同一の周波数のタイミング信号で駆動制御するタイミング生成手段とを備える
ことを特徴とするダイバーシティ受信機。
【請求項２】
前記ダイバーシティ受信機は、前記スイッチング手段と、前記ＡＤ変換手段と、前記時分割分離手段とを各１つずつ備える
ことを特徴とする請求項１記載のダイバーシティ受信機。
【請求項３】
前記ダイバーシティ受信機は、さらに、
前記Ｎ個のアンテナ端子に接続され、前記アンテナ端子で受信した信号を所定の周波数に変換する前記Ｎ個の周波数変換・ＩＦ処理手段と、
前記時分割分離手段から出力される信号の信号品質を判定する前記Ｎ個の信号品質判定手段と、
前記時分割分離手段及び前記Ｎ個の前記信号品質判定手段に接続され、前記信号品質に基づいて前記時分割された信号を合成する合成手段と、
前記合成手段から出力される信号を復調する復調手段とを備え、
前記スイッチング手段の前記Ｎ個の入力は、前記Ｎ個の前記周波数変換・ＩＦ処理手段それぞれに接続される
ことを特徴とする請求項１記載のダイバーシティ受信機。
【請求項４】
前記ダイバーシティ受信機は、さらに、
前記ＡＤ変換手段から出力される信号の信号強度を判定する時分割信号品質判定手段を備え、
前記タイミング生成手段は、さらに、前記時分割信号品質判定手段に接続され、前記スイッチング手段、前記ＡＤ変換手段、前記時分割分離手段及び前記時分割信号品質判定手段を前記タイミング信号で駆動制御し、
前記合成手段は、前記時分割信号品質判定手段及び前記時分割分離手段に接続され、前記信号強度に基づいて、時分割された信号を合成する
ことを特徴とする請求項３記載のダイバーシティ受信機。
【請求項５】
前記タイミング生成手段で生成される前記タイミング信号の周波数は、前記復調手段で使用するサンプリング周波数の前記Ｎ倍となる
ことを特徴とする請求項３記載のダイバーシティ受信機。
【請求項６】
前記ダイバーシティ受信機は、さらに、
前記時分割分離手段の前記Ｎ個の出力に接続される前記Ｎ個のミキサと、
前記Ｎ個の前記ミキサに接続される局部発振器と、
前記Ｎ個のミキサの各々の出力に接続される前記Ｎ個のデシメーション手段と、
前記Ｎ個のデシメーション手段それぞれの出力に接続される前記Ｎ個の信号品質判定手段と、
前記Ｎ個の前記デシメーション手段及び前記Ｎ個の前記信号品質判定手段に接続される合成手段と、
前記合成手段から出力される信号を復調する復調手段とを備えてなる
ことを特徴とする請求項１記載のダイバーシティ受信機。
【請求項７】
前記ダイバーシティ受信機は、さらに、
前記ＡＤ変換手段に接続されるミキサと、
前記ミキサに接続される局部発振器と、
前記時分割分離手段に接続される前記Ｎ個のデシメーション手段と、
前記Ｎ個の前記デシメーション手段の出力に対応して接続される信号品質判定手段と、
前記Ｎ個の前記デシメーション手段及び前記Ｎ個の前記信号品質判定手段に接続される合成手段と、
前記合成手段から出力される信号を復調する復調手段とを備え、
前記時分割分離手段は、前記ミキサからの出力を前記Ｎ個の信号に分離して前記Ｎ個の前記デシメーション手段に出力する
ことを特徴とする請求項１記載のダイバーシティ受信機。
【請求項８】
Ｎ個（Ｎは２以上の正整数）のアンテナ端子から受信される信号の合成を行うダイバーシティ受信機に用いるダイバーシティ受信方法であって、
前記Ｎ個の入力を用いて、前記Ｎ個のアンテナ端子で受信される信号を逐次切り替えて１つの信号として出力するスイッチングステップと、
前記スイッチングステップにおいて出力された信号を、時分割多重されたデジタル信号に変換するＡＤ変換ステップと、
前記ＡＤ変換ステップにおいて変換された前記デジタル信号を、前記Ｎ個の信号に分離して出力する時分割分離ステップと、
前記スイッチングステップ、前記ＡＤ変換ステップ及び前記時分割分離ステップにおける処理を、同一の周波数のタイミング信号で駆動制御するタイミング生成ステップとを含む
ことを特徴とするダイバーシティ受信方法。
【請求項９】
前記ダイバーシティ受信方法は、さらに、
前記Ｎ個のアンテナ端子を用いて、前記アンテナ端子で受信した信号を所定の周波数に変換する周波数変換・ＩＦ処理ステップと、
前記時分割分離ステップにおいて出力される信号の信号品質を判定する信号品質判定ステップと、
前記時分割分離ステップ及び前記信号品質判定ステップの後に、前記信号品質に基づいて前記時分割された信号を合成する合成ステップと、
前記合成ステップにおいて出力される信号を復調する復調ステップとを含む
ことを特徴とする請求項８記載のダイバーシティ受信方法。
【請求項１０】
請求項１記載のダイバーシティ受信機を備えることを特徴とする車両。
【発明の詳細な説明】
【技術分野】
【０００１】
本発明は、２つ以上のアンテナを使用して受信品質の向上を図るダイバーシティ受信機に関し、特に、アナログ変調波を受信対象とするダイバーシティ受信機に関するものである。
【背景技術】
【０００２】
従来より、２つ以上のアンテナを使用して受信品質の改善を図るダイバーシティ受信機は放送・通信を問わず広く使用されており、その有用性は広く周知されているところである。
【０００３】
反面、この様なダイバーシティ受信機の普遍的な課題としては、複数のアンテナに対応した受信処理系統を複数持たねばならず、特に位相合成ダイバーシティと呼称される複数のアンテナからの受信信号に対しそれぞれの位相を調節して加算合成する方式のダイバーシティ受信機においては、その構成が複雑となり、実装上のコストが多大となることが問題としてあげられる。
【０００４】
また、後段の復調処理をデジタル方式によって実現する場合には、単体部品としては高価であり、ＬＳＩチップ上に組み込む場合には大きな面積を占めてしまうアナログ−デジタル変換部（以下、ＡＤ変換部と呼称する）が複数個必要になることも大きな課題として知られているところである。
【０００５】
この様な周知の課題への解決策はすでに従来より種々提案されている。例えば、比較的長いシンボル長を持つデジタル変調信号波を受信するダイバーシティ受信機において、シンボル周期の半分の時間間隔でスイッチング処理を行う手段を備えることにより、従来２個以上必要であったＡＤ変換部を１つのみで構成可能とすることで簡潔な構成で合成ダイバーシティ処理を実現しようとするものである（例えば、特許文献１参照）。
【０００６】
また、アナログ変調波を受信対象とするダイバーシティ受信機においては、複数のアンテナからの信号の一方ないしは両方に対してアナログ移相器を用いたアナログ処理によって位相調整処理を行い、しかる後にアナログ加算合成を行ってから後段のアナログないしはデジタル処理による復調処理部へ出力するような構成をとることが公知の技術となっている（例えば、特許文献２参照）。
【特許文献１】特開平５−１７５９４２号公報
【特許文献２】特開２００１−２６７９８８号公報
【発明の開示】
【発明が解決しようとする課題】
【０００７】
しかしながら、上記した従来のダイバーシティ受信機では、例えば特許文献１において開示される技術では、シンボル期間という比較的長い時間において受信される信号が一定のパターンに固定されるという、デジタル変調方式固有の特徴を用いているので、適応対象がデジタル変調波を受信対象とするダイバーシティ受信機に限定され、アナログ変調信号の受信には適用できないという課題がある。
【０００８】
一方、特許文献２で開示されている技術の様にアナログ処理によって位相合成を行う場合には、アナログ信号による制御が必要であるため高精度の部品が必要になり、また実装後の調整が必要になるなど実装コストの面で課題を有している。
【０００９】
本発明は、前記従来の課題を解決するもので、デジタル方式によって位相合成を行うダイバーシティ受信機であって、ＡＤ変換部を１つのみしか必要としない簡単な構成で実現でき、アナログ変調波の受信にも適用できるダイバーシティ受信機を提供することを目的とするものである。
【課題を解決するための手段】
【００１０】
上記課題を解決するために、本発明に係るダイバーシティ受信機は、Ｎ個（Ｎは２以上の正整数）のアンテナ端子から受信される信号の合成を行うダイバーシティ受信機であって、前記Ｎ個の入力を持ち、前記Ｎ個のアンテナ端子で受信される信号を逐次切り替えて１つの信号として出力するスイッチング手段と、前記スイッチング手段から出力された信号を、時分割多重されたデジタル信号に変換するＡＤ変換手段と、前記ＡＤ変換手段において変換された前記デジタル信号を、前記Ｎ個の信号に分離して出力する時分割分離手段と、前記スイッチング手段、前記ＡＤ変換手段及び前記時分割分離手段に接続され、前記スイッチング手段、前記ＡＤ変換手段及び前記時分割分離手段を、同一の周波数のタイミング信号で駆動制御するタイミング生成手段とを備えることを特徴とする。
【００１１】
また、本発明に係るダイバーシティ受信機は、前記スイッチング手段と、前記ＡＤ変換手段と、前記時分割分離手段とを各１つずつ備えることを特徴とする。
【００１２】
これらの構成によって、本発明に係るダイバーシティ受信機は、スイッチング手段を用いることで、単一のＡＤ変換手段を複数のアンテナからの信号の処理に共用することができ、なおかつ特定のシンボルデータ構造に依存しない多重化方法を用いているのでデジタル変調波、アナログ変調波を問わず受信信号の合成ができる。
【００１３】
なお、前記目的を達成するために、本発明は、前記ダイバーシティ受信機の特徴的な構成手段をステップとするダイバーシティ受信方法としたり、前記ダイバーシティ受信機を備える車両として実現することもできる。
【発明の効果】
【００１４】
本発明によれば、アナログ変調波にもデジタル変調波にも適用できるデジタル方式の位相合成を行うダイバーシティ受信機を、単一のＡＤ変換部のみを用いる安価な構成で実現できる。
【発明を実施するための最良の形態】
【００１５】
以下、本発明に係るダイバーシティ受信機の実施の形態について図面を参照しながら説明する。
【００１６】
（実施の形態１）
図１は、本発明の実施の形態１におけるダイバーシティ受信機の構成を示すブロック図である。なお、以下の説明では簡単のために接続されるアンテナが２個（すなわちＮ＝２）の場合を例として説明することとするが、必ずしもこれに限定されるものではない。
【００１７】
また、本実施の形態１に係るダイバーシティ受信機は、２つのアンテナ信号から得られた中間周波数信号を単一のＡＤ変換部を用いるのみで合成処理することを特徴とするものである。
【００１８】
図１において、ダイバーシティ受信機は、アンテナ端子１０１ａ及び１０１ｂ、アンテナ端子１０１ａ及び１０１ｂそれぞれに接続された周波数変換・ＩＦ処理部１０２ａ及び１０２ｂ、スイッチング部１０３、ＡＤ変換部１０４、時分割分離部１０６、スイッチング部１０３、ＡＤ変換部１０４及び時分割分離部１０６それぞれに接続されたタイミング生成部１０５、時分割分離部１０６に接続された信号品質判定部１０７ａ及び１０７ｂ、合成部１０８、及び復調部１０９より構成されている。
【００１９】
アンテナ端子１０１ａで受信された信号は周波数変換・ＩＦ処理部１０２ａによって所定の中間周波数に変換され所定の帯域幅に濾波された後にスイッチング部１０３の第１の入力に入力される。同様にアンテナ端子１０１ｂで受信された信号は周波数変換・Ｉ／Ｆ処理部１０２ｂによって所定の中間周波数に変換され所定の帯域幅に濾波された後にスイッチング部１０３の第２の入力に入力される。
【００２０】
スイッチング部１０３は、タイミング生成部１０５により生成されるタイミング信号に従って、前記した２つの入力から入力された信号を逐次切り替えて出力するものである。切り替え周波数は一般的には復調部１０９の処理において必要とされるサンプリング周波数のＮ倍、本実施の形態においてはアンテナが２つの場合を説明しているので、２倍の周波数に設定するのが好適である。スイッチング部１０３の出力はアナログ信号レベルでアンテナ端子１０１ａに対応する信号とアンテナ端子１０１ｂに対応する信号とを時分割形式で多重した形の信号となる。
【００２１】
ＡＤ変換部１０４ではスイッチング部１０３によって切り替え出力されたアナログ信号をタイミング生成部１０５より供給されるタイミング信号に同期してデジタル信号に変換する。
【００２２】
図２はＡＤ変換部１０４の入出力信号の概要を示す模式図である。図２（ａ）においてアナログ信号９０１、アナログ信号９０２はスイッチング部１０３の第１及び第２の入力に入力されるアナログ信号の一例を模式的に示したものである。スイッチング部１０３の出力にはアナログ信号９０１とアナログ信号９０２を交互にサンプリングしたアナログ値が出力され、これがＡＤ変換部１０４への入力アナログ信号として入力されることとなる。ＡＤ変換部１０４では入力されたアナログ信号を逐次デジタル信号に変換し、結果としてＡＤ変換部１０４の出力として図２（ｂ）のデジタル信号９０３に示すような、アンテナ端子１０１ａからの信号に対応したデジタル信号値と、アンテナ端子１０１ｂからの信号に対応したデジタル信号値とが、１サンプルおきに時分割形式で交互に配列された信号が得られることとなる。
【００２３】
以下、再度図１を参照しながら実施の形態１に係るダイバーシティ受信機の構成について説明を行う。上記で説明したＡＤ変換部１０４からの出力信号は、時分割分離部１０６によって、後段の処理を可能とするためにアンテナ端子１０１ａからの信号に対応したデジタル信号値と、アンテナ端子１０１ｂからの信号に対応したデジタル信号値とに再度分離される。これは位相加算合成処理などこれ以降の処理において各アンテナからの信号ごとにサンプル間にわたる処理が必要となることから、図２（ｂ）のデジタル信号９０３に示したようなデータ構造が不適切であるためである。
【００２４】
そして、時分割分離部１０６で各アンテナ端子別の信号に分離された受信信号はそれぞれに対応した信号品質判定部１０７ａ、１０７ｂに入力される。
【００２５】
信号品質判定部１０７ａ、１０７ｂでは主として受信信号強度を用いて受信レベルの判定等を行い、それぞれのアンテナ端子からの信号品質が判定される。
【００２６】
合成部１０８では時分割分離部１０６からの出力を、信号品質判定部１０７ａ、１０７ｂから出力される信号品質指標情報をもとに、位相、レベルの調整を行いつつ加算合成して出力信号を得る。
【００２７】
復調部１０９では合成部１０８より出力された信号を復調し、最終的な復調信号が得られることとなる。
【００２８】
以上のような構成により、２つのアンテナ信号から得られた中間周波数信号を単一のＡＤ変換部１０４を用いるのみで合成処理することができ、簡潔かつ安価な構成でアナログ信号にも適用できるダイバーシティ受信機を実現できるものである。
【００２９】
なお、上記の説明では信号品質の判定を時分割分離部１０６から出力される各アンテナに対応した信号に対し１つずつ信号品質判定部１０７ａ及び１０７ｂを設ける構成としたが、信号品質判定処理を各サンプルの信号強度などのみによって判定する場合には単一の判定部を時分割で使用することも可能である。このような場合の構成を図３のブロック図に示す。
【００３０】
図３は、時分割信号品質判定部１１０を備えるダイバーシティ受信機の回路構成図を示す。図３において図１と共通の構成要素には同一の符号を付与して説明は省略する。図３に示すように、信号品質判定処理を時分割処理とした場合には図１における信号品質判定部１０７ａ、１０７ｂの代替としてＡＤ変換部１０４の出力に時分割信号品質判定部１１０を配置した構成となる。
【００３１】
このような構成をとれば、時分割信号品質判定部１１０の実装に若干の制限が生じるが、より簡潔な構成でダイバーシティ受信機を実現できる。
【００３２】
（実施の形態２）
以下、本発明に係るダイバーシティ受信機の第二の実施の形態について図面を参照して説明を行う。なお、本実施の形態２に係るダイバーシティ受信機は、単一のＡＤ変換部のみを用いて、アンテナからの受信信号を周波数変換処理することなくデジタル信号に変換して処理することを特徴とするものである。
【００３３】
図４は本発明の実施の形態２にかかるダイバーシティ受信機の構成を示すブロック図である。図４において図１と同一の構成要素に関しては同一の符号を付与して説明を省略する。また、本実施の形態２に係るダイバーシティ受信機は、図１と比較して周波数変換・ＩＦ処理部の構成が省かれ、また、時分割分離部の処理の後に、ミキサと、局部発振器と、デシメーション部とが備えられている。
【００３４】
図４に示す本発明の実施の形態２にかかるダイバーシティ受信機ではアンテナ端子より入力された信号を周波数変換することなくスイッチング部１０３に入力する構成としている。また、時分割分離部１０６の出力には、局部発振器２０２に接続されたミキサ２０１ａ、２０１ｂが接続されており、ミキサ２０１ａ、２０１ｂの出力にはデシメーション部２０３ａ、２０３ｂが接続され、デシメーション部２０３ａ、２０３ｂの出力には信号品質判定部１０７ａ、１０７ｂおよび合成部１０８が接続されるような構成となっている。
【００３５】
このような構成によればアンテナ端子１０１ａ、１０１ｂにおいて受信された受信信号は、スイッチング部１０３、ＡＤ変換部１０４、タイミング生成部１０５、時分割分離部１０６によって、上述した実施の形態１におけるのと同様の処理が施され、ミキサ２０１ａ及び２０１ｂに出力される。ただし、本実施の形態２においてはタイミング生成部１０５で生成されるタイミング信号の周波数はミキサ２０１ａおよび２０１ｂにおいて必要とされるサンプリング周波数のＮ倍、すなわちアンテナが２系統の場合は２倍の周波数とすることが適切である。
【００３６】
そして、時分割分離部１０６から出力されるアンテナ端子１０１ａおよび１０１ｂにそれぞれ対応した信号は、それぞれミキサ２０１ａおよび２０１ｂにおいて、局部発振器２０２によって生成された信号と混合され、ベースバンド信号ないしは中間周波数信号に変換される。ミキサ２０１ａおよび２０１ｂから出力される信号のサンプリング周波数はミキサ２０１ａおよび２０１ｂにおける混合処理に必要な周波数であり、復調部１０９における復調に必要なサンプリング周波数よりも高い周波数となっているので、デシメーション部２０３ａおよび２０３ｂにおいて間引き処理およびフィルタ処理を行って信号品質判定部１０７ａ、１０７ｂおよび合成部１０８に入力される。
【００３７】
信号品質判定部１０７ａ、１０７ｂではそれぞれのアンテナ端子からの信号品質が判定され、合成部１０８では時分割分離部１０６からの出力を、信号品質判定部１０７ａ、１０７ｂから出力される信号品質指標情報をもとに位相、レベルの調整を行いつつ加算合成して出力信号を得る。復調部１０９では構成部１０８より出力された信号を復調し、最終的な復調信号が得られることとなる。
【００３８】
以上のような構成をとれば、単一のＡＤ変換部１０４のみを用いて、アンテナ１０１ａ及び１０１ｂからの受信信号を周波数変換処理することなくデジタル信号に変換して処理する、アナログ変調波にも対応するダイバーシティ受信機を簡単な構成で実現できるので、特にシステムＬＳＩとしての実現に有用である。
【００３９】
（実施の形態３）
以下、本発明に係るダイバーシティ受信機の第三の実施の形態について図面を参照して説明を行う。なお、本実施の形態３に係るダイバーシティ受信機は、より簡潔な構成で単一のＡＤ変換部のみを用いて、アンテナからの受信信号を周波数変換処理することなくデジタル信号に変換して処理することを特徴とする。
【００４０】
図５は本発明の実施の形態３にかかるダイバーシティ受信機の構成を示すブロック図である。図５において図４と同一の構成要素に関しては同一の符号を付与して説明を省略する。本実施の形態３ではミキサ２０１をＡＤ変換部１０４と時分割分離部１０６の間に配置し、時分割分離部１０６の出力はデシメーション部２０３ａおよび２０３ｂに接続するような構成としている。
【００４１】
そして、すでに述べた実施の形態２におけるダイバーシティ受信機と同様にＡＤ変換部１０４の出力には本来ミキサ処理において必要とされるサンプリング周波数のアンテナ数倍、すなわち図５の構成ではアンテナが２つの場合を示しているので２倍の周波数でアンテナ端子１０１ａ、１０１ｂに対応した受信信号が交互に時分割多重形式で出力される。
【００４２】
また、本実施の形態３ではミキサ２０１および局部発振器２０２はＡＤ変換部１０４と同一の周波数で動作し、ミキサ２０１はＡＤ変換部１０４の出力を入力して局部発振器２０２で生成される信号と混合処理を行い、時分割多重形式で配置されたベースバンドないしは中間周波数信号を出力する。時分割分離部１０６ではこの信号をアンテナ端子ごとに対応した信号に分離し、デシメーション部２０３ａおよび２０３ｂに出力する。
【００４３】
以降の処理はすでに述べた実施の形態２におけるダイバーシティ受信機の動作とまったく同一であるので説明を省略する。
【００４４】
上記したような構成をとれば、高速処理が必要な構成要素が増加するものの、より簡潔な構成で単一のＡＤ変換部１０４のみを用いて、アンテナ１０１ａ及び１０１ｂからの受信信号を周波数変換処理することなくデジタル信号に変換して処理する、アナログ変調波にも対応するダイバーシティ受信機を実現できる。
【００４５】
なお、図６は、本発明に係るダイバーシティ受信機６０１を備えた車両６００の外観図である。本図に示すように、本発明に係るダイバーシティ受信機６０１は、例えば、車内においてアンテナ６０２からラジオやテレビの放送波を受信して合成処理するダイバーシティ受信機６０１として用いることができる。
【００４６】
なお、上記各実施の形態の説明ではアンテナの数（Ｎ）が２の場合を説明したが、本発明に係るダイバーシティ受信機が備えるアンテナの数は、これに限定されるものでない。また、本発明に係るダイバーシティ受信機は、アナログ変調波のみならずデジタル変調波の受信に対しても適用可能であることは言うまでもない。
【産業上の利用可能性】
【００４７】
本発明は、例えば、ＡＭ放送やＦＭ放送などアナログ変調波を受信対象とし、その信号処理をデジタルによって行うダイバーシティ受信機、ないしはダイバーシティ受信を実現するシステムＬＳＩにおいて適用することが可能である。また、本発明に係るダイバーシティ受信機は、例えば、テレビやラジオ放送を受信する車載用ダイバーシティ受信機、携帯端末や無線ＬＡＮ等に利用することが可能である。
【図面の簡単な説明】
【００４８】
【図１】本発明の実施の形態１におけるダイバーシティ受信機の構成を示すブロック図
【図２】ＡＤ変換部の入出力信号の概要を示す模式図
【図３】本発明の実施の形態１におけるダイバーシティ受信機の別の構成を示すブロック図
【図４】本発明の実施の形態２におけるダイバーシティ受信機の構成を示すブロック図
【図５】本発明の実施の形態３におけるダイバーシティ受信機の構成を示すブロック図
【図６】本発明に係るダイバーシティ受信機を備えた車両の外観図
【符号の説明】
【００４９】
１０１ａ，１０１ｂ    アンテナ端子
１０２ａ，１０２ｂ    周波数変換・ＩＦ処理部
１０３    スイッチング部
１０４    ＡＤ変換部
１０５    タイミング生成部
１０６    時分割分離部
１０７ａ，１０７ｂ    信号品質判定部
１０８    合成部
１０９    復調部
１１０    時分割信号品質判定部
２０１，２０１ａ，２０１ｂ    ミキサ
２０２    局部発振器
２０３ａ，２０３ｂ    デシメーション部
６００    車両
６０１    ダイバーシティ受信機
６０２    アンテナ
【図１】
2005328505.tif 000003
【図２】
2005328505.tif 000004
【図３】
2005328505.tif 000005
【図４】
2005328505.tif 000006
【図５】
2005328505.tif 000007
【図６】
2005328505.tif 000008